(57)【要約】【課題】不活性ガス消火設備の点検中に誤って起動用ガスが起動したとしても不活性ガスガスが防護区画に放射されないようにする。【解決手段】不活性ガス貯蔵容器４ａ〜４ｌに貯蔵された不活性ガス消火剤が起動用ガス容器９ａ〜９ｃに貯蔵された起動用ガスによって開放されて防護区画１〜３に放出される不活性ガス消火設備１００において、不活性ガス消火剤を開放するための起動用ガスを消火剤消火剤開放器４０ａ〜４０ｌに流す配管に、通常時には不活性ガス消火剤を開放するための起動用ガスを消火剤開放器４０ａ〜４０ｌに流し、不活性ガス消火設備の点検時には不活性ガス消火剤を開放するための起動用ガスを消火剤開放器４０ａ〜４０ｌに流さないようにする弁４２ａ〜４２ｃを設け、点検時に誤って起動用ガス開放器９０ａ〜９０ｃを作動させて起動用ガスが配管に流れても、不活性ガス消火剤が誤って放出されることがないようにする。【選択図】図１
2012081174.tif 000002
【特許請求の範囲】
【請求項１】
不活性ガス消火剤を貯蔵する不活性ガス貯蔵容器と、
該不活性ガス貯蔵容器に貯蔵した不活性ガス消火剤を開放する消火剤開放器と、
該不活性ガス貯蔵容器に貯蔵された不活性ガス消火剤を防護区画内へ放出する照射ヘッドと、
該消火剤開放器をガス圧力により作動させるための起動用ガスを貯蔵する起動用ガス容器と、
該起動用ガス容器に貯蔵された起動用ガスを開放するための起動用ガス開放器と、
該起動用ガス開放器を制御する制御盤と、
を少なくとも備える不活性ガス消火設備において、
前記起動用ガスを流す配管に、通常時には前記不活性ガス消火剤を開放するための起動用ガスを前記消火剤開放器に流し、前記不活性ガス消火設備の点検時には前記不活性ガス消火剤を開放するための起動用ガスを前記消火剤開放器に流さないようにする弁を設けている不活性ガス消火設備。
【請求項２】
前記弁は３方弁である請求項１に記載の不活性ガス消火設備。
【発明の詳細な説明】
【技術分野】
【０００１】
本発明は、二酸化炭素ガスなどの不活性ガス消火剤を放出して火災の消火を行う不活性ガス消火設備に関する。
【背景技術】
【０００２】
不活性ガス消火設備としては、例えば特許文献１に示された構成のものが知られている。この不活性ガス消火設備は、起動スイッチ及び非常停止スイッチを備えた操作箱からの信号を受け、起動用ガス容器に貯蔵された起動用ガスが不活性ガス貯蔵容器を開放して噴射ヘッドから消火剤を放出する構成となっている。
【０００３】
そして、起動用ガス容器と不活性ガス貯蔵容器とを接続する配管の途中に、操作箱の扉を開いたという信号と、起動スイッチを押したという信号を受信した時のみ開弁する常閉型の電磁弁を設け、電気的ノイズの混入、機械的振動等に起因して開放器が誤動作しても、不活性ガス消火剤が放出されないようにしている。
【先行技術文献】
【特許文献】
【０００４】
【特許文献１】特開２００２−３６０７２６号公報
【発明の概要】
【発明が解決しようとする課題】
【０００５】
しかし、上記特許文献１に記載された不活性ガス消火設備は、点検中の誤った操作による誤放射を防止する効果は低い。本発明は、このような点に鑑みてなされたものであり、その目的は、点検中に誤って起動用ガスが起動したとしても、不活性ガスガスが防護区画に放射されないようにすることにある。
【課題を解決するための手段】
【０００６】
本発明は、不活性ガス消火剤を貯蔵する不活性ガス貯蔵容器と、不活性ガス貯蔵容器に貯蔵した不活性ガス消火剤を開放する消火剤開放器と、不活性ガス貯蔵容器に貯蔵された不活性ガス消火剤を防護区画内へ放出する照射ヘッドと、消火剤開放器をガス圧力により作動させるための起動用ガスを貯蔵する起動用ガス容器と、起動用ガス容器に貯蔵された起動用ガスを開放するための起動用ガス開放器と、起動用ガス開放器を制御する制御盤とを少なくとも備える不活性ガス消火設備において、起動用ガスを流す配管に、通常時には不活性ガス消火剤を開放するための起動用ガスを消火剤開放器に流し、不活性ガス消火設備の点検時には不活性ガス消火剤を開放するための起動用ガスを消火剤開放器に流さないようにする弁を設けている。この弁は、３方弁であることが望ましい。
【発明の効果】
【０００７】
本発明に係る不活性ガス消火設備は、不活性ガス消火剤を開放するための起動用ガスを消火剤開放器に流す配管に、通常時には不活性ガス消火剤を開放するための起動用ガスを消火剤開放器に流し、不活性ガス消火設備の点検時には不活性ガス消火剤を開放するための起動用ガスを消火剤開放器に流さないようにする弁を設けているため、点検時に誤って起動用ガス開放器を作動させて起動用ガスが配管に流れたとしても、不活性ガス消火剤が誤って放出されることがない。
【図面の簡単な説明】
【０００８】
【図１】不活性ガス消火設備の第一の例を示す構成図である。
【図２】操作箱を示す正面図である。
【図３】操作箱の内部を示す正面図である。
【図４】不活性ガス消火設備の第二の例を示す構成図である。
【発明を実施するための形態】
【０００９】
１  第一の実施形態
図１に示す不活性ガス消火設備１００は、複数の防護区画（図１の例では防護区画１，２，３）に対してそれぞれ不活性ガス消火剤を放出する装置である。
【００１０】
この不活性ガス消火設備１００は、不活性ガス消火剤を貯蔵する不活性ガス貯蔵容器４ａ〜４ｌを備えている。不活性ガス貯蔵容器４ａ〜４ｌには、貯蔵した不活性ガス消火剤を開放する消火剤開放器４０ａ〜４０ｌをそれぞれ備えている。
【００１１】
各不活性ガス貯蔵容器４ａ〜４ｌの出力側は、選択弁５ａ、５ｂ、５ｃを介して、不活性ガス消火剤を各防護区画内へ放出する噴射ヘッド６に連通している。なお、噴射ヘッド６は、防護区画１に備えたもののみ図示しているが、防護区画２、３にも同様に備えている。
【００１２】
噴射ヘッド６からの消火剤の放出は、手動式起動装置７における制御の下で手動で行うことができる。手動式起動装置７は、操作箱８から発せられる指令により作動する。具体的には、操作箱８には、図２に示すように、手動式起動装置７に対して起動を指令する起動スイッチ８０及び起動指令を解除する非常停止スイッチ８１を内部に備えている。
【００１３】
操作箱８は、防護区画内またはその近傍に設置され、図３に示すように、開閉扉８２を備えている。開閉扉８２を閉めた状態でも、電源表示灯８３、起動表示灯８４及び点検中表示灯１５を視認できる状態となっている。一方、図２に示すように、開閉扉８２を開けた状態では、電源表示灯８３、起動表示灯８４及び点検中表示灯８５を視認できるほか、起動スイッチ８０及び非常停止スイッチ８１を操作することができる。さらに、操作箱８の内部には、扉スイッチ８６も備えている。
【００１４】
図１に示す消火剤開放器４０ａ〜４０ｌは、起動用ガス容器９ａ、９ｂ、９ｃに貯蔵されたガスの圧力によって作動する。起動用ガス容器９ａ、９ｂ、９ｃは、起動用ガスを開放するために起動用ガス容器弁を作動させる起動用ガス開放器９０ａ、９０ｂ、９０ｃをそれぞれ備えている。
【００１５】
起動用開放器９０ａ〜９０ｃは、制御盤１０による制御の下で作動する。制御盤１０には図示しないタイマーを備えており、このタイマーは、起動スイッチ８０の操作時から一定時間経過後に起動用ガス開放器９０ａ〜９０ｃを作動させる機能を有している。また、制御盤１０は、防護区画内に設けられた音響警報装置１１及び充満表示灯１２に接続されており、音響警報装置１１を鳴らしたり、充満（放出）表示灯１２を点灯及び消灯させたりすることができる。
【００１６】
選択弁５ａ〜５ｃは、防護区画と同数設けられており、各選択弁は、それぞれが起動用ガス配管５０ａ、５０ｂ、５０ｃを介して起動用ガス容器９ａ、９ｂ、９ｃにそれぞれ連通している。制御盤１０による制御の下で起動用ガス開放器９０ａ〜９０ｃが起動用ガス容器９ａ〜９ｃを開放することにより、選択弁５ａ〜５ｃが開放され、その選択弁５ａ〜５ｃと連通した噴射ヘッド６から不活性ガス消火剤が放出される構成となっている。
【００１７】
選択弁５ａ〜５ｃの下流には、圧力スイッチ５１ａ、５１ｂ、５１ｃが設けられており、各防護区画内への不活性ガス消火剤の放出による圧力を検出して充満表示灯１２を点灯させることができる。
【００１８】
起動用ガス容器９ａ〜９ｃと消火剤開放器４０ａ〜４０ｃとの間は配管４１ａ、４１ｂ、４１ｃによってそれぞれ接続されている。配管４１ａ、４１ｂ、４１ｃには、それぞれ誤放射防止弁４２ａ、４２ｂ、４２ｃが設けられている。この誤放射防止弁４２ａ、４２ｂ、４２ｃは、図１の例では３つ設けられており、それぞれの誤放射防止弁４２ａ、４２ｂ、４２ｃの切替によって、不活性ガス貯蔵容器４ａ〜４ｌの開閉を行うための起動用ガスを消火剤開放器４０ａ〜４０ｌに流す状態と流さない状態とをとることができる構成となっている。誤放射防止弁４２ａ、４２ｂ、４２ｃの切替は、制御盤１０に設けたメンテナンススイッチ（図示せず）によって制御することができる。
【００１９】
不活性ガス貯蔵容器４ａ〜４ｌの出力側は、点検用閉止弁４３を介して各選択弁５ａ〜５ｃと接続されており、不活性ガス貯蔵容器４ａ〜４ｌからの不活性ガスが開状態の選択弁５ａ〜５ｃを通って噴射ヘッド６に流れて放出される構成となっている。
【００２０】
誤放射防止弁４２ａ〜４２ｃは、三方弁であり、通常時（火災監視時）は、起動用ガス容器９ａ〜９ｃから放出された起動用ガスを消火剤開放器４０ａ〜４０ｌに流す状態としておく。一方、点検時は、誤放射防止弁４２ａ〜４２ｃは、起動用ガスを消火剤開放器４０ａ〜４０ｌに流さず、大気に開放する。
【００２１】
消火剤開放器４０ａ〜４０ｌは、配管４４により接続されており、その途中には逆止弁４５ａ、４５ｂ、４５ｃが設けられている。図１の例では、消火剤開放器４０ｅと４０ｆとの間にガスを消火剤開放器４０ｅ側に流す逆止弁４２ａが配設され、消火剤開放器４０ｂと４０ｃとの間にガスを消火剤開放器４０ｂ側に流す逆止弁４２ｂが配設され、消火剤開放器４０ｊと４０ｋとの間にガスを消火剤開放器４０ｊ側に流す逆止弁４２ｃが配設されている。
【００２２】
（１）通常時（火災監視時）
通常時は、誤放射防止弁４２ａ〜４２ｃを、起動用ガス容器９ａ〜９ｃからのガスが消火剤開放器４０ａ〜４０ｌに流れるように設定する。この状態における不活性ガス消火設備１００は、以下のように動作する。
【００２３】
例えば、防護区画１内において火災が確認されると、発見者が操作箱８の開閉扉８２を開ける。これによって、音響警報装置１１が警報を発する。次に、防護区画１内の人員の非難が確認されると、起動スイッチ８０を押圧する。そうすると、これに連動して防護区画１内の換気扇等機器を停止する。
【００２４】
起動スイッチ８０の押圧と同時に、制御盤１０のタイマーが計時を開始し、タイムアップまでの間に火災が鎮火したり消火されなかった場合は、防護区画１に対応する起動用ガス開放器９０ａを作動させて起動用ガス容器９ａから起動用ガスを選択弁５ａに供給して選択弁５ａを開状態とする。また、起動用ガス開放器９０ａを作動させることにより、誤放射防止弁４２ａを介して消火剤開放器４０ａ〜４０ｊに起動用ガスが流れる。そうすると、不活性ガス貯蔵容器４ａ〜４ｊ内の不活性ガス消火剤が点検用閉止弁４３及び選択弁５ａを経て噴射ヘッド６から防護区画１内に放射される。このとき、圧力スイッチ５１ａが作動して防護区画１の近傍外部に設けられた充満表示灯１２が点灯し、不活性ガス消火剤の充満状態を外部に知らせる。
【００２５】
（２）点検時
点検時は、誤放射防止弁４２ａ〜４２ｃを、起動用ガス容器９ａ〜９ｃからのガスが消火剤開放器４０ａ〜４０ｌに流れずに大気に開放されるように設定する。そして、その状態では、以下のように動作する。
【００２６】
例えば、誤って起動用ガス開放器９０ｂを作動させて起動用ガス容器９ｂから起動用ガスを選択弁５ｂに供給された場合は、誤放射防止弁４２ｂが、起動用ガスが消火剤開放器４０ｂに流れないように設定されているため、起動用ガス容器９ｂから起動用ガスは、大気に開放され、消火剤開放器４０ａ〜４０ｌには流れない。
【００２７】
したがって、誤放射防止弁４２ａ〜４２ｃを、起動用ガス容器９ａ〜９ｃからのガスを消火剤開放器４０ａ〜４０ｌに流さないように設定しておくことにおり、不活性ガス貯蔵容器４ａ〜４ｌの不活性ガス消火剤が噴射ヘッド６から誤って放出されることがない。
【００２８】
２  第二の実施形態
図４に示す不活性ガス消火設備２００は、図１に示した不活性ガス消火設備１００と同様に、防護区画１，２，３に対してそれぞれ不活性ガス消火剤を放出する装置である。以下では、不活性ガス消火設備１００と同様に構成される部分については共通の符号を付し、詳細な説明は省略することとする。
【００２９】
不活性ガス消火設備２００では、消火剤開放器４０ａ〜４０ｌを開放するための配管４４の末端に、リリーフ弁４６を設け、リリーフ弁４６と末端の消火剤開放器４０ａとの間に誤放射防止弁４７を設けている。誤放射防止弁４７は、三方弁により構成され、通常時（火災監視時）は、起動用ガス容器９ａ〜９ｃから放出された起動用ガスをリリーフ弁４６に流すように設定される。一方、点検時は、誤放射防止弁４７を、起動用ガスがリリーフ弁４６に流れず大気へ放出するように設定する。
【００３０】
通常時は、誤放射防止弁４７がリリーフ弁４６の方へ起動用ガスを流すため、例えば、起動用ガス開放器９０ｃを作動させて起動用ガス容器９ｃから起動用ガスを放出すると、選択弁５ｃが開くとともに、すべての消火剤開放器４０ａ〜４０ｌが作動し、不活性ガス貯蔵容器４ａ〜４ｌから消火剤が放出される。そうすると、その消火剤は、選択弁５ｃを介して防護区画３の噴射ヘッドから放射される。
【００３１】
一方、点検時は、起動用ガス開放器９０ａ〜９０ｂのいずれかが作動して起動用ガスが配管４４を流れても、誤放射防止弁４７において起動用ガスが大気に開放されることにより、配管４４の内部は、消火剤開放器４０ａ〜４０ｌが作動するための十分な圧力にならない。そのため、起動用ガスにより消火剤開放器４０ａ〜４０ｌは起動せず、不活性ガス貯蔵容器４ａ〜４ｌから不活性ガス消火剤が放出されることはない。したがって、点検時は、誤放射防止弁４７を、起動用ガスがリリーフ弁４６へ流れず大気へ放出されるように設定しておくことにより、各防護区画内において噴射ヘッド６から誤って不活性ガス消火剤が放出されるのを防止することができる。
【００３２】
なお、本発明の実施に際しては、上記の実施形態に限定されるものではなく、種々の変形形態を採用することができる。
【００３３】
たとえば、上記においては、誤放射防止弁４７は三方弁として記載したが、二方弁であっても良い。
【符号の説明】
【００３４】
１００、２００：不活性ガス消火設備
１，２，３：防護区画
４ａ〜４ｌ：不活性ガス貯蔵容器
４０ａ〜４０ｌ：開放器  ４１ａ，４１ｂ，４１ｃ：配管
４２ａ，４２ｂ，４２ｃ：誤放射防止弁  ４３：点検用閉止弁
４４：配管  ４５ａ，４５ｂ，４５ｃ：逆止弁  ４６：リリーフ弁  ４７：誤放射防止弁
５ａ，５ｂ，５ｃ：選択弁  ５０ａ，５０ｂ，５０ｃ：起動用ガス配管
５１ａ，５１ｂ，５１ｃ：圧力スイッチ
６：噴射ヘッド
７：手動式起動装置
８：操作箱
８０：起動スイッチ  ８１：非常停止スイッチ  ８２：開閉扉  ８３：電源表示灯
８４：起動表示灯  ８５：点検中表示灯  ８６：扉スイッチ
９ａ，９ｂ，９ｃ：起動用ガス容器  ９０ａ，９０ｂ，９０ｃ：起動用ガス開放器
１０：制御盤  １１：音響警報装置  １２：充満（放出）表示灯
【図１】
2012081174.tif 000003
【図２】
2012081174.tif 000004
【図３】
2012081174.tif 000005
【図４】
2012081174.tif 000006